(57)【要約】【課題】温浴施設やスポーツ施設等の利用者の体重変化を手軽に把握できるようにすることを目的とする。【解決手段】施設内で携帯するＲＦＩＤタグであるロッカーキーを、体重計１のＲＦＩＤリーダ５にかざして体重を測定すると、ロッカー番号及び何回目の体重の測定であるかを示す回数情報に対応させて、測定される体重値が体重計１の記憶部に記憶され、２回目以降の測定時には、ロッカー番号に対応する前回の体重値が記憶部から読出され、体重計１の表示部７に、前回の体重値と今回の体重値が表示されると共に、その差である体重の変化量が表示される。【選択図】図１
2014157166.tif 000002
【特許請求の範囲】
【請求項１】
載台に載る被測定者の体重を測定する体重測定部と、測定した体重値を表示する表示部とを具備する体重計であって、
体重を測定する前記被測定者が携帯するＲＦＩＤタグの識別情報を非接触で読取る読取部と、
前記識別情報および何回目の体重の測定であるかを示す回数情報に対応させて、測定される体重値が記憶される記憶部と、
前記読取部による前記識別情報の読取りに基づいて、前記記憶部および前記表示部を制御する制御部とを具備し、
前記制御部は、前記読取部で読取った識別情報および何回目の体重の測定であるかを示す回数情報に対応させて、前記体重測定部で測定される体重値を前記記憶部に記憶させる一方、前記記憶部に記憶されている、前記読取部で読取った識別情報に対応する体重値を読出して、少なくとも前後２回の測定による両体重値および両体重値の差の少なくともいずれか一方を、前記表示部に表示させる、
ことを特徴とする体重計。
【請求項２】
当該体重計が、各種の施設に設置されるものであり、
前記ＲＦＩＤタグが、前記施設を利用する利用者に貸与されて、該利用者が携帯するロッカーキーであり、前記識別情報が、前記ロッカーキーに対応するロッカー番号である、
請求項１に記載の体重計。
【請求項３】
前記施設が、温浴施設またはスポーツ施設であり、
前後２回の測定が、入浴の前後または運動の前後の測定である、
請求項２に記載の体重計。
【請求項４】
既に測定されて前記記憶部に記憶されている体重値を消去するために操作される操作部を具備し、
前記制御部は、前記操作部の操作に基づいて、前記記憶部に記憶されている体重値の内、前記読取部で読取ったロッカー番号に対応する体重値を消去する、
請求項２または３に記載の体重計。
【請求項５】
前記請求項１ないし４のいずれかに記載の体重計と、
体重を測定する被測定者が携帯するＲＦＩＤタグと、
を具備することを特徴とする体重計システム。
【請求項６】
載台に載る被測定者の体重を測定する体重測定部と、測定した体重値を表示する表示部と、前記被測定者が携帯するＲＦＩＤタグの識別情報を読取る読取部と、少なくとも前記体重測定部で測定される体重値が記憶される記憶部とを具備する体重計の表示方法であって、
体重を測定する前記被測定者が携帯する前記ＲＦＩＤタグの識別情報を非接触で読取るステップと、
前記非接触で読取った前記識別情報および何回目の体重の測定であるかを示す回数情報に対応させて、前記体重測定部で測定される体重値を前記記憶部に記憶するステップと、
前記非接触で読取った識別情報に対応する体重値を前記記憶部から読出して、少なくとも前後２回の測定による両体重値および両体重値の差の少なくともいずれか一方を、前記表示部に表示するステップと、
を具備することを特徴とする体重計の表示方法。
【発明の詳細な説明】
【技術分野】
【０００１】
本発明は、体重計、体重計システムおよび体重計の表示方法に関し、更に詳
しくは、電波を用いた認識技術であるＲＦＩＤ（Radio Frequency Identification）を利用した体重計、体重計システムおよび体重計の表示方法に関する。
【背景技術】
【０００２】
一般に、温泉や健康ランドのような温浴施設、フィットネスクラブなどのスポーツ施設などには、体重計が設置されており、近年、かかる体重計としてデジタル式の体重計（例えば、特許文献１参照）が主流となりつつある。
【先行技術文献】
【特許文献】
【０００３】
【特許文献１】特開２００６−１６２５８９号公報
【発明の概要】
【発明が解決しようとする課題】
【０００４】
上記温浴施設やスポーツ施設などに備え付けられている体重計では、施設の利用者が、施設内で消費したカロリーに基づく体重変化、例えば、温浴施設において入浴前と入浴後の体重変化を知りたい場合には、利用者自身が、入浴前に測定した体重値を記憶あるいは書き留めておき、入浴後に測定した体重値との差を計算する必要がある。また、スポーツ施設において、各種のマシンを使用した運動毎の体重変化を知りたい場合には、利用者自身が、各種のマシンによる運動の前後で測定した各体重値を記憶あるいは書き留めておいて、その差を計算する必要がある。
【０００５】
このように入浴前や運動前の体重値を記憶したり、書き留めておくのは面倒であり、また、記憶した体重値を失念してしまう場合もある。
【０００６】
このため、かかる施設において、手軽に体重変化を把握できるようにすることが望まれる。
【０００７】
本発明は、このような実情に着目してなされたものであって、不特定の者が利用する施設において、利用者の体重変化を手軽に把握できるようにすることを目的とする。
【課題を解決するための手段】
【０００８】
前記目的を達成するために、本発明では、次のように構成している。
【０００９】
（１）本発明の体重計は、載台に載る被測定者の体重を測定する体重測定部と、測定した体重値を表示する表示部とを具備する体重計であって、体重を測定する前記被測定者が携帯するＲＦＩＤタグの識別情報を非接触で読取る読取部と、前記識別情報および何回目の体重の測定であるかを示す回数情報に対応させて、測定される体重値が記憶される記憶部と、前記読取部による前記識別情報の読取りに基づいて、前記記憶部および前記表示部を制御する制御部とを具備し、前記制御部は、前記読取部で読取った識別情報および何回目の体重の測定であるかを示す回数情報に対応させて、前記体重測定部で測定される体重値を前記記憶部に記憶させる一方、前記記憶部に記憶されている、前記読取部で読取った識別情報に対応する体重値を読出して、少なくとも前後２回の測定による両体重値および両体重値の差の少なくともいずれか一方を、前記表示部に表示させるものである。
【００１０】
ＲＦＩＤタグとは、物体の識別に利用される無線 HYPERLINK "http://e-words.jp/w/IC.html" ＩＣチップをいい、その形状は、カード状、スティック状、ラベル状など特に限定はなく、ＩＣタグ、ＲＦタグ、無線タグ、電子タグなどの様々な名称で呼ばれるものである。
【００１１】
記憶部には、ＲＦＩＤタグを特定する読取った識別情報、何回目の体重の測定であるかを示す回数情報及び測定される体重値の全てを記憶させてもよいし、識別情報毎の記憶領域に、回数情報及び体重値を記憶させてもよいし、あるいは、識別情報毎であって、かつ回数情報毎の記憶領域に、体重値のみを記憶させてもよく、識別情報及び回数情報に対応させて、体重値が記憶されればよい。
【００１２】
前後２回の測定は、今回と前回との２回の測定が好ましいが、これに限らず、今回と前々回、前回と前々回など測定回数内の２回の測定であればよい。なお、
操作部などを設け、何回目の測定かを操作によって指定できるようにしてもよい。
【００１３】
前後２回の測定による両体重値および両体重値の差の両方を表示するのが好ましいが、前後２回の両体重値または両体重値の差のいずれか一方を表示してもよい。また、表示は、同一の画面に表示するのが好ましいが、画面を切換えて表示するものであってもよい。両体重値および両体重値の差は、数値で表示してもよいし、グラフで表示してもよい。少なくとも前後２回の測定であるから、前後３回以上の測定による３つ以上の体重値およびそれら体重値の差を表示するようにしてもよい。
【００１４】
本発明の体重計によると、被測定者が携帯するＲＦＩＤタグを、読取り部の読取り可能範囲内に近接させることによって、読取った識別情報および何回目の測定であるかを示す回数情報に対応させて、体重値を記憶させる一方、既に記憶されている識別情報に対応する体重値を読出して、少なくとも前後２回の両体重値または両体重値の差の少なくともいずれか一方が表示されるので、既に測定した体重値を利用者が記憶したり、書き留めておく必要がなく、手軽に前後２回の測定における体重の変化を把握することができる。
【００１５】
（２）本発明の体重計の好ましい実施態様では、当該体重計が、各種の施設に設置されるものであり、前記ＲＦＩＤタグが、前記施設を利用する利用者に貸与されて、該利用者が携帯するロッカーキーであり、前記識別情報が、前記ロッカーキーに対応するロッカー番号である。
【００１６】
各種の施設としては、例えば、温泉や健康ランドのような温浴施設、フィットネスクラブなどのスポーツ施設、宿泊施設、レジャー施設などがある。
【００１７】
この実施態様によると、ＲＦＩＤタグは、施設が利用者に貸与するロッカーキーであるので、利用者は、施設内で携帯するロッカーキーを用いて手軽に体重を測定してその変化を把握できる一方、施設側は、当該体重計を設置するだけで特段の設備を追加する必要がない。
【００１８】
（３）上記（２）の実施態様では、前記施設が、温浴施設またはスポーツ施設であり、前後２回の測定を、入浴の前後または運動の前後の測定としてもよい。
【００１９】
この実施態様によると、温浴施設における入浴の前後の体重変化、あるいは、スポーツ施設における運動の前後の体重変化を容易に把握できることになる。
【００２０】
（４）上記（２）または（３）の実施態様では、既に測定されて前記記憶部に記憶されている体重値を消去するために操作される操作部を具備し、前記制御部は、前記操作部の操作に基づいて、前記記憶部に記憶されている体重値の内、前記読取部で読取ったロッカー番号に対応する体重値を消去するようにしてもよい。
【００２１】
操作部は、例えば、ロッカーキーを貸与されて最初に体重計を利用するときに操作するものであってもよいし、最後に体重計を利用したときに操作するものであってもよい。
【００２２】
この実施態様によると、操作部の操作によって、読取り部で読取ったロッカー番号に対応する体重値が消去されるので、例えば、ロッカーキーを貸与されて最初に体重計を利用するときに操作部を操作することによって、同一のロッカー番号のロッカーを利用した前回の利用者が測定した体重値を消去することができ、あるいは、最後に体重計を利用したときに操作部を操作することによって、当該利用者の既に記憶されている体重値を消去することができる。
【００２３】
なお、本発明の他の実施形態として、体重計の記憶部に記憶されている体重値を時間の経過によって消去するようにしてもよく、例えば、施設の閉館時刻になったときには、記憶部に記憶されている体重値を消去するようにしてもよい。
【００２４】
（５）本発明の体重計システムは、本発明にかかる体重計と、体重を測定する被測定者が携帯するＲＦＩＤタグとを具備している。
【００２５】
本発明の体重計システムによると、被測定者が携帯するＲＦＩＤタグから読取った識別情報および何回目の測定であるかを示す回数情報に対応させて、測定した体重値を記憶させる一方、既に記憶されている識別情報に対応する体重値を読出して、少なくとも前後２回の両体重値または両体重値の差の少なくともいずれか一方が表示されるので、既に測定した体重値を利用者が記憶したり、書き留めておく必要がなく、手軽に前後２回の測定における体重の変化を把握することができる。
【００２６】
（６）本発明の体重計の表示方法は、載台に載る被測定者の体重を測定する体重測定部と、測定した体重値を表示する表示部と、前記被測定者が携帯するＲＦＩＤタグの識別情報を読取る読取部と、少なくとも前記体重測定部で測定される体重値が記憶される記憶部とを具備する体重計の表示方法であって、体重を測定する前記被測定者が携帯する前記ＲＦＩＤタグの識別情報を非接触で読取るステップと、前記非接触で読取った前記識別情報および何回目の体重の測定であるかを示す回数情報に対応させて、前記体重測定部で測定される体重値を前記記憶部に記憶するステップと、前記非接触で読取った識別情報に対応する体重値を前記記憶部から読出して、少なくとも前後２回の測定による両体重値および両体重値の差の少なくともいずれか一方を、前記表示部に表示するステップとを具備している。
【００２７】
本発明の体重計の表示方法によると、被測定者が携帯するＲＦＩＤタグから読取った識別情報および何回目の測定であるかを示す回数情報に対応させて、体重値を記憶させる一方、既に記憶されている識別情報に対応する体重値を読出して、少なくとも前後２回の両体重値または両体重値の差の少なくともいずれか一方が表示されるので、既に測定した体重値を利用者が記憶したり、書き留めておく必要がなく、手軽に体重の変化を把握することができる。
【発明の効果】
【００２８】
このように、本発明によれば、被測定者が携帯するＲＦＩＤタグから読取った識別情報および何回目の測定であるかを示す回数情報に対応させて、体重値を記憶させる一方、既に記憶されている識別情報に対応する体重値を読出して、少なくとも前後２回の両体重値または両体重値の差の少なくともいずれか一方が表示されるので、既に測定した体重値を利用者が記憶したり、書き留めておく必要がなく、手軽に体重の変化を把握することができる。
【図面の簡単な説明】
【００２９】
【図１】図１は本発明の実施形態にかかる体重計の斜視図である。
【図２】図２はＲＦＩＤタグからなるロッカーキーの斜視図である。
【図３】図３はロッカーの概略図である。
【図４】図４は体重計の構成を示すブロック図である。
【図５】図５は入浴の前後の体重の測定結果の表示例である。
【図６】図６は体重計のメモリの記憶構成を示す図である。
【図７】図７は体重計の動作説明に供するフローチャートである。
【図８】図８は他の実施形態にかかる体重計の動作説明に供するフローチャートである。
【図９】図９は図８の体重計のメモリの記憶構成を示す図である。
【図１０】図１０は体重の測定結果の表示例である。
【図１１】図１１は更に他の実施形態にかかる体重計を備えるシステムの構成である。
【発明を実施するための形態】
【００３０】
以下、本発明の実施形態を図面に基づいて詳細に説明する。
【００３１】
（実施形態１）
図１は、本発明の実施形態に係る体重計の斜視図である。
【００３２】
この実施形態の体重計１は、例えば、温泉や健康ランドのような温浴施設の脱衣場に設置されている。
【００３３】
体重計１は、体重を測定する被測定者が載る載台を有する体重計本体２と、体重計本体２に取り付けられた支柱３と、支柱３の上部に取り付けられた操作表示部４とを備えると共に、後述のＲＦＩＤタグからなるロッカーキーからの情報を読み取るＲＦＩＤリーダ５とを備えている。操作表示部４には、複数の操作キー６と７セグメント表示の表示部７とを備えている。
【００３４】
一般に、温泉や健康ランドのような温浴施設では、施設への入館時にフロントで貸与されるロッカーキーを用いて脱衣ロッカーを利用するものである。また、施設の利用終了時には、貸与されたロッカーキーをフロントに返却する。
【００３５】
この実施形態では、貸与されるロッカーキー８は、例えば、図２に示すように、手首に装着できるようにカールコードからなるリストバンド９付のＲＦＩＤタグ１０から構成されている。このＲＦＩＤタグ１０は、アンテナ付ＩＣチップ（図示せず）がケースに封入されて構成され、ケースの表面には、該ロッカーキー８に割り当てられているロッカー番号（キー番号）、例えば、「００１」が印刷されている。このロッカーキー８には、精算情報を記録することができ、このロッカーキー８を使用して施設の自動販売機等を利用したような場合に、その料金を施設の退館時にフロントで精算することができる。
【００３６】
ＲＦ−ＩＤタグ１０からなるロッカーキー８は、無線周波数（radio frequency：ＲＦ）の電波によってロッカー番号等の情報を送受信するものであり、ＲＦ信号の送受信部、ロッカー番号等を記憶する記憶部、それらを制御する制御部を備えている。ＲＦＩＤは、電磁誘導方式や電波方式等、どのような方式であってもよい。
【００３７】
一方、ロッカー１５は、図３に示されるように、各ロッカーボックス１６に、ロッカーキー８の情報を読出しあるいは書込むＲＦＩＤリーダライタ１７が設けられており、各ＲＦＩＤリーダライタ１７は、ＬＡＮ等を介して図示しない情報管理部に接続されている。
【００３８】
フロントでロッカーキー８を貸与された利用者は、ロッカーキー８に印刷されているロッカー番号のロッカーボックス１６を選択し、ロッカーキー８をロッカーのＲＦＩＤリーダライタ１７にかざしてつまみ（図示せず）を回転操作することによって、ロッカー１６のロックあるいはその解除を行うことができる。
【００３９】
この実施形態では、温浴施設における入浴の前後の体重の変化を容易に把握できるように、次のように構成している。
【００４０】
すなわち、利用者が、体重を測定する際には、携帯しているロッカーキー８を、上述の図１に示される体重計１のＲＦＩＤリーダ５にかざすことによって、体重計１は、ロッカーキー８のロッカー番号を読み取って、そのロッカー番号に対応させて、測定される体重値を記憶するようにしており、入浴後の体重測定の際には、ロッカー番号に対応する入浴の前後の体重値及びその変化量を表示部７に表示するようにしている。なお、この実施形態では、入浴前の体重測定時には、当該利用者にとって始めての使用であること示す使用開始用の操作キー６を操作するようにしている。これによって、同じロッカー番号のロッカーを前に使用した別の利用者が体重を測定した場合に、その別の利用者の測定データを消去するようにしている。
【００４１】
図４は、この実施形態の体重計１の構成を示すブロック図であり、図１に対応する部分には、同一の参照符号を付す。
【００４２】
この体重計１は、一定の読取可能領域内にロッカーキー８が存在するときに、そのロッカーキー８に記憶されているロッカー番号を非接触で読み取る読取部としてのＲＦＩＤリーダ５と、測定した体重値などを記憶する記憶部であるメモリ１８と、操作キー６と、重量を検出するロードセルなどからなる重量センサ１９と、重量センサ１９からのアナログ重量信号をデジタル重量信号に変換するＡ／Ｄ変換器２０と、デジタル重量信号に基づいて体重値を算出すると共に、各部を制御する制御部としてのＣＰＵ２１と、体重値などを表示する表示部７と、各部に電源を供給する電源２２とを備えている。重量センサ１９、Ａ／Ｄ変換器２０及びＣＰＵ２１によって、体重測定部が構成される。
【００４３】
ＲＦＩＤリーダ５は、ＣＰＵ、メモリ部及びアンテナを含む送受信部を備えている。このＲＦＩＤリーダ５は、ロッカーキー８が読取可能領域内に入ると、送信部から電波信号をロッカーキー８に送信する。ロッカーキー８では、受信した電波信号を整流、平滑化して駆動電力を発生し、記憶部からロッカー番号を読み出してＲＦＩＤリーダ５に電波信号として送信する。ＲＦＩＤリーダ５では、受信部で電波信号を受信し、復調してロッカー番号を読取る。
【００４４】
この実施形態では、次のようにして入浴の前後の体重の測定が行われる。
【００４５】
すなわち、利用者は、入浴前に体重計本体２の載台に載って携帯しているロッカーキー８を、体重計１のＲＦＩＤリーダ５にかざすと共に、利用者にとって始めての使用であることを示す使用開始用の操作キー６を操作する。
【００４６】
これによって、体重計１は、ＲＦＩＤリーダ５によってロッカーキー８のロッカー番号を読取ると共に、同じロッカー番号に対応する測定データが既に記憶されているときには、前に同じロッカー番号のロッカーを利用した別の利用者が既に測定したデータであるとして、その測定データを消去する。また、今回の利用者の体重を測定し、測定した体重値を、表示部７に表示すると共に、読み取ったロッカー番号に対応させてメモリ１８の入浴前のエリアに記憶する。この体重の測定では、重量センサ１９によって検出される重量値が、所定時間において所定変化範囲内になったとき、すなわち、安定したときの重量値を、体重値として決定する。
【００４７】
入浴後には、入浴を終えた利用者は、体重計本体２の載台に載って携帯しているロッカーキー８を、体重計１のＲＦＩＤリーダ５にかざす。
【００４８】
これによって、体重計１は、ＲＦＩＤリーダ５によってロッカーキー８のロッカー番号を読取ると共に、体重を測定し、測定した体重値を、読み取ったロッカー番号に対応させてメモリ１８の入浴後のエリアに記憶する。更に、入浴の前後の体重値を読み出して、その変化量を算出すると共に、入浴の前後の体重値及びその変化量を、例えば、図５に示すように、表示部７に表示する。
【００４９】
図６は、この実施形態の体重計１のメモリ１８の記憶構成を示す図である。この図６に示されるように、ロッカー番号毎に、１回目の測定である入浴前と、２回目の測定である入浴後とに対応させて、測定された体重値が記憶される。
【００５０】
図７は、この実施形態の体重計１の動作説明に供するフローチャートである。
【００５１】
利用者が、ロッカーキー８を体重計１のＲＦＩＤリーダ５にかざすことによって、ロッカーキー８のロッカー番号を読み込み（ステップＳ１）、利用者が、初めての測定であるか否かに対応した使用開始用のキー操作をしたか否かを判断し（ステップＳ２）、使い始めであるときには、同じロッカー番号が登録済みであるか否かを判断し（ステップＳ３）、登録済みであるときには、同じロッカー番号のロッカーを前に利用した別の利用者の測定データを消去し（ステップＳ４）、ステップＳ５に移る。また、ステップＳ２で使い始めでないと判断したときには、ステップＳ５に移る。ステップＳ３で同じロッカー番号が登録済みでないと判断したときには、読み込んだロッカー番号を登録してステップＳ５に移る（ステップＳ６）。
【００５２】
ステップＳ５では、体重を測定し、入浴前に対応する１回目の測定であるか否かを判断する（ステップＳ７）。この判断は、例えば、ロッカー番号の１回目の体重値の記憶エリアに体重値が記憶されているか否かによって行われる。１回目の測定であるときには、１回目の記憶エリアに測定した体重値を記憶し（ステップＳ８）、体重値を表示部７に表示して終了する（ステップＳ９）。
【００５３】
入浴後には、ステップＳ２では、使い始めではないと判断し、ステップＳ５で体重を測定し、１回目の測定であるか否かを判断し（ステップＳ７）、１回目の測定ではないので、測定した体重値を、２回目の記憶エリアに記憶し（ステップＳ１０）、記憶した１回目および２回目の体重値を読み出すと共に、その差を算出し（ステップＳ１１）、入浴の前後の体重値及びその体重変化を表示部７に表示して終了する（ステップＳ１２）。
【００５４】
なお、体重を測定した日付を併せて表示するようにしてもよい。また、体重計１にプリンタを接続し、体重値やその変化等を印刷できるようにしてもよい。
【００５５】
このように施設内で携帯するロッカーキー８を用いて入浴の前後で体重を測定することによって、体重計１の表示部７には、入浴の前後の体重値及びその変化量が表示されるので、手軽に体重の変化を把握して体重管理に利用することができる。
【００５６】
（実施形態２）
上述の実施形態では、体重計１は、温浴施設の入浴の前後の体重値を記憶し、入浴の前後の体重変化を表示するようにしたけれども、本発明の他の実施形態として、例えば、フィットネスクラブ等のスポーツ施設で貸与される更衣ロッカーのロッカーキー８を利用して、該スポーツ施設の適所に設置される体重計に、各種のマシンを使用した運動の前後の体重変化を表示できるようにしてもよい。
【００５７】
図８は、かかるスポーツ施設に設置される体重計の動作説明に供するフローチャートであり、上述の図７に対応するフローチャートである。
【００５８】
この実施形態の体重計も、上述の実施形態の体重計１とその基本的な構成は、同様であるので、同じ参照符号を用いて説明する。
【００５９】
利用者が、或るマシンによる運動前の体重測定時に、更衣ロッカーのロッカーキー８を体重計１のＲＦＩＤリーダ５にかざすことによって、ロッカーキー８のロッカー番号を読み込み（ステップＳ１）、利用者が、初めての測定であるか否かに対応した使用開始用のキー操作をしたか否か、すなわち、使い始めであるか否かを判断し（ステップＳ２）、使い始めであるときには、同じロッカー番号が登録済みであるか否かを判断し（ステップＳ３）、登録済みであるときには、同じロッカー番号のロッカーを利用した別の利用者の測定データを消去し（ステップＳ４）、ステップＳ５に移る。また、ステップＳ２で使い始めでないと判断したときには、ステップＳ５に移る。また、ステップＳ２で使い始めでないと判断したときには、ステップＳ５に移る。ステップＳ３で同じロッカー番号が登録済みでないと判断したときには、読み込んだロッカー番号を登録してステップＳ５に移る（ステップＳ６）。
【００６０】
ステップＳ５では、体重を測定し、１回目の測定であるか否かを判断する（ステップＳ７）。１回目の測定であるときには、１回目の記憶エリアに測定した体重値を記憶し（ステップＳ８）、体重値を表示部７に表示して終了する（ステップＳ９）。
【００６１】
或るマシンを使用した運動後の２回目の体重の測定では、ステップＳ２で、使い始めではないと判断し、体重を測定し（ステップＳ５）、１回目の測定であるか否かを判断し（ステップＳ７）、１回目の測定ではないので、２回目の測定であるか否か判断し（ステップＳ１０）、２回目の測定であるので、測定した体重値を、２回目の記憶エリアに記憶し（ステップＳ１１）、記憶した１回目及び２回目の体重値を読み出すと共にその差を算出し（ステップＳ１２）、運動の前後である１回目と２回目の体重値および体重変化を表示部７に表示して終了する（ステップＳ１３）。
【００６２】
また、次のマシンを使用した運動後の３回目の測定では、ステップＳ２では、使い始めではないと判断し、体重を測定し（ステップＳ５）、１回目の測定であるか否かを判断し（ステップＳ７）、１回目の測定ではないので、２回目の測定であるか否か判断し（ステップＳ１０）、２回目の測定ではないので、３回目の測定であるか否かを判断し（ステップＳ１４）、３回目の測定であるので、測定した体重値を、３回目の記憶エリアに記憶し（ステップＳ１５）、記憶した２回目および３回目の体重値を読み出すと共に、その差を算出し（ステップＳ１６）、マシンの使用の前後の体重値及び体重の変化を表示部７に表示して終了する（ステップＳ１７）。
【００６３】
以下、同様にして体重計１の仕様によって予め設定されているｎ回に亘って測定された体重値を記憶すると共に、前後の体重値及び体重の変化を表示する。
【００６４】
これによって、体重計１のメモリには、例えば、図９に示すように、ロッカー番号に対応する利用者毎の１回目から７回目までの測定値が記憶される。
【００６５】
なお、体重計１の表示部７が、例えば、フルグラフィック表示を行える液晶表示部２３であるような場合には、利用者のキー操作に基づいて、複数回の測定値の変化を、例えば、図１０に示すようにグラフで表示してもよい。
【００６６】
このように施設内で携帯するロッカーキー８を用いて運動の前後で体重を測定することによって、体重計１の表示部７には、運動の前後の体重値及びその変化量が表示されるので、手軽に体重の変化を把握することができる。
【００６７】
（実施形態３）
図１１は、本発明の他の実施形態の体重計を複数備えるシステムの概略構成図である。
【００６８】
この実施形態では、複数、例えば、４台の体重計１1〜１4は、例えば、フィットネスクラブなどのスポーツ施設の適所に設置されており、上述の実施形態１，２と同様に、各体重計１1〜１4は、体重計本体２と、体重計本体２に取り付けられた支柱３と、支柱３の上部に取り付けられた操作表示部４とを備えると共に、ＲＦＩＤタグからなるロッカーキーからの情報を読み取るＲＦＩＤリーダ５とを備えている。更に、この実施形態の体重計１1〜１4は、スポーツ施設に設置されているコンピュータ２４との間で無線通信するための無線通信部をそれぞれ内蔵している。また、４台の体重計１1〜１4を識別して通信できるように、各体重計１1〜１4には、個別の装置番号が設定されている。
【００６９】
この実施形態では、利用者が、４台の体重計１1〜１4のいずれの体重計で体重を測定しても、上述の実施形態２と同様に、マシンの運動の前後の体重の変化を知ることができるように次のようにしている。
【００７０】
すなわち、利用者が、いずれかの体重計で体重を測定したときには、測定された体重値は、ロッカーキー８のロッカー番号および測定回数と共に、コンピュータ２４に送信され、コンピュータ２４では、受信した体重値を、受信したロッカー番号及び測定回数に対応させて記憶部に記憶する。したがって、コンピュータ２４は、４台の体重計１1〜１4で測定した体重値の全てのデータが、ロッカー番号及び測定回数に対応させて記憶されている。
【００７１】
そして、利用者が、いずれかの体重計で２回目以降の測定を行うと、測定された体重値等がコンピュータ２４に送信され、コンピュータ２４は、その体重値等を受信して記憶部に記憶する一方、そのロッカー番号に対応する前回の測定値である体重値を、記憶部から読出して、体重値等を送信した前記体重計に送信する。これによって、前記体重計では、測定して送信した体重値とコンピュータから送信された前回の体重値とを表示できると共に、その変化量を算出して表示することができる。
【００７２】
したがって、利用者が、例えば、第１の体重計１1で上述の実施形態と同様にして運動前の１回目の体重の測定を行ったときには、その体重値、ロッカー番号及び測定回数が、コンピュータ２４に送信される。コンピュータ２４では、受信した体重値を、受信したロッカー番号及び測定回数に対応させて記憶部に記憶する。
【００７３】
次に、利用者がマシンで運動した後、第１の体重計１1とは別の体重計、例えば、第２の体重計１2で運動後の２回目の体重の測定を行ったときには、その体重値、ロッカー番号及び測定回数が、コンピュータ２４に送信される。コンピュータ２４では、受信した体重値を、受信したロッカー番号及び測定回数２回目に対応させて記憶部に記憶する。更に、コンピュータ２４は、受信したロッカー番号に対応する１回目の測定値を記憶部から読み出して第２の体重計１2に送信する。これによって、第２の体重計１2は、受信した１回目の体重値と今回測定した２回目の体重値との差を算出すると共に、上述の実施形態と同様に、１回目及び２回目の体重値並びに体重変化を表示する。
【００７４】
以上のようにして、利用者は、４台の体重計１1〜１4のいずれで体重を測定しても前後の体重値の変化を把握することができる。
【００７５】
この実施形態では、各体重計１1〜１4によって測定された体重値をコンピュータ２４に送信して記憶し、記憶した体重値を読み出して各体重計１1〜１4に送信するように構成したけれども、本発明の他の実施形態として、コンピュータ２４に代えて、１台の体重計を親機（マスタ）として設定し、子機（スレーブ）である他の各体重計によって測定される体重値を、親機の体重計に送信して記憶し、記憶した体重値を読み出して子機である他の体重計に送信するようにしてもよい。なお、必要に応じて中継器を設置してもよい。
【００７６】
この実施形態では、無線で通信したけれども、無線に限らず、有線で通信するようにしてもよい。
【００７７】
（実施形態４）
上述の各実施形態では、測定した体重値を、体重計１あるいはコンピュータ２４の記憶部に記憶するようにしたけれども、本発明の他の実施形態として、利用者が、情報の読書きが可能な個人専用のＲＦＩＤカードを所有しているような場合には、測定した体重値を、個人専用のＲＦＩＤカードに記憶させるようにしてもよい。
【００７８】
この場合、体重計１のＲＦＩＤリーダ５を、ＲＦＩＤリーダライタに変更し、個人専用のＲＦＩＤカードであるか、あるいは、上述の実施形態と同様のロッカーキーであるかを識別情報によって識別し、個人専用のＲＦＩＤカードであるときには、測定した体重値を、体重計１のメモリ１８に書き込むのではなく、個人専用のＲＦＩＤカードに書き込むようにし、ロッカーキー８であるときには、上述の実施形態と同様に、体重計１のメモリ１８に書き込むようにすればよい。
【００７９】
（その他の実施形態）
上述の実施形態では、脱衣ロッカーや更衣ロッカーのロッカーキーに適用して説明したけれども、下足ロッカーのロッカーキーに適用してもよい。
【００８０】
本発明の体重計には、体重以外に体脂肪率などの他の生体情報の測定機能を追加してもよい。
【産業上の利用可能性】
【００８１】
本発明は、体重計として有用である。
【符号の説明】
【００８２】
１，１1〜１4    体重計
４              操作表示部
５              ＲＦＩＤリーダ
７              表示部
８              ロッカーキー
１０            ＲＦＩＤタグ
【図１】
2014157166.tif 000003
【図２】
2014157166.tif 000004
【図３】
2014157166.tif 000005
【図４】
2014157166.tif 000006
【図５】
2014157166.tif 000007
【図６】
2014157166.tif 000008
【図７】
2014157166.tif 000009
【図８】
2014157166.tif 000010
【図９】
2014157166.tif 000011
【図１０】
2014157166.tif 000012
【図１１】
2014157166.tif 000013
【手続補正書】
【提出日】平成26年7月2日(2014.7.2)
【手続補正１】
【補正対象書類名】特許請求の範囲
【補正対象項目名】全文
【補正方法】変更
【補正の内容】
【特許請求の範囲】
【請求項１】
載台に載る被測定者の体重を測定する体重測定部と、測定した体重値を表示する表示部とを具備する体重計であって、
体重を測定する前記被測定者が携帯するＲＦＩＤタグの識別情報を非接触で読取ると共に、前記ＲＦＩＤタグへ非接触で情報の書込みが可能な読取書込部と、
前記識別情報および何回目の体重の測定であるかを示す回数情報に対応させて、測定される体重値が記憶される記憶部と、
前記読取書込部による前記識別情報の読取りに基づいて、前記記憶部および前記表示部を制御する制御部とを具備し、
前記制御部は、前記読取書込部で読取った識別情報によって、前記ＲＦＩＤタグが、前記被測定者の個人専用のＲＦＩＤタグであるか否かを識別し、個人専用のＲＦＩＤタグでないときには、読取った識別情報および何回目の体重の測定であるかを示す回数情報に対応させて、前記体重測定部で測定される体重値を前記記憶部に記憶させる一方、前記記憶部に記憶されている、前記読取書込部で読取った識別情報に対応する体重値を読出して、少なくとも前後２回の測定による両体重値および両体重値の差の少なくともいずれか一方を、前記表示部に表示させ、個人専用のＲＦＩＤタグであるときには、何回目の体重の測定であるかを示す回数情報に対応させて、前記体重測定部で測定される体重値を前記個人専用のＲＦＩＤタグに書込ませる一方、前記個人専用のＲＦＩＤタグに書込まれている体重値を読出して、少なくとも前後２回の測定による両体重値および両体重値の差の少なくともいずれか一方を、前記表示部に表示させる、
ことを特徴とする体重計。
【請求項２】
当該体重計が、各種の施設に設置されるものであり、
前記ＲＦＩＤタグが、前記施設を利用する利用者に貸与されて、該利用者が携帯するロッカーキーであり、前記識別情報が、前記ロッカーキーに対応するロッカー番号である、
請求項１に記載の体重計。
【請求項３】
前記施設が、温浴施設またはスポーツ施設であり、
前後２回の測定が、入浴の前後または運動の前後の測定である、
請求項２に記載の体重計。
【請求項４】
既に測定されて前記記憶部に記憶されている体重値を消去するために操作される操作部を具備し、
前記制御部は、前記操作部の操作に基づいて、前記記憶部に記憶されている体重値の内、前記読取書込部で読取ったロッカー番号に対応する体重値を消去する、
請求項２または３に記載の体重計。
【請求項５】
前記請求項１ないし４のいずれかに記載の体重計と、
体重を測定する被測定者が携帯するＲＦＩＤタグと、
を具備することを特徴とする体重計システム。
【請求項６】
載台に載る被測定者の体重を測定する体重測定部と、測定した体重値を表示する表示部と、前記被測定者が携帯するＲＦＩＤタグの識別情報を非接触で読取ると共に、前記ＲＦＩＤタグへ非接触で情報の書込みが可能な読取書込部と、少なくとも前記体重測定部で測定される体重値が記憶される記憶部とを具備する体重計の表示方法であって、
体重を測定する前記被測定者が携帯する前記ＲＦＩＤタグの識別情報を非接触で読取って前記ＲＦＩＤタグが、前記被測定者の個人専用のＲＦＩＤタグであるか否かを識別するステップと、
前記ＲＦＩＤタグが、前記被測定者の個人専用のＲＦＩＤタグでないときには、前記非接触で読取った前記識別情報および何回目の体重の測定であるかを示す回数情報に対応させて、前記体重測定部で測定される体重値を前記記憶部に記憶するステップと、
前記ＲＦＩＤタグが、前記被測定者の個人専用のＲＦＩＤタグであるときには、何回目の体重の測定であるかを示す回数情報に対応させて、前記体重測定部で測定される体重値を前記個人専用のＲＦＩＤタグに書込むステップと、
前記ＲＦＩＤタグが、前記被測定者の個人専用のＲＦＩＤタグでないときには、前記非接触で読取った識別情報に対応する体重値を前記記憶部から読出して、少なくとも前後２回の測定による両体重値および両体重値の差の少なくともいずれか一方を、前記表示部に表示するステップと、
前記ＲＦＩＤタグが、前記被測定者の個人専用のＲＦＩＤタグであるときには、前記個人専用のＲＦＩＤタグに書込まれている体重値を読出して、少なくとも前後２回の測定による両体重値および両体重値の差の少なくともいずれか一方を、前記表示部に表示するステップと、
を具備することを特徴とする体重計の表示方法。
【手続補正２】
【補正対象書類名】明細書
【補正対象項目名】０００９
【補正方法】変更
【補正の内容】
【０００９】
（１）本発明の体重計は、載台に載る被測定者の体重を測定する体重測定部と、測定した体重値を表示する表示部とを具備する体重計であって、体重を測定する前記被測定者が携帯するＲＦＩＤタグの識別情報を非接触で読取ると共に、前記ＲＦＩＤタグへ非接触で情報の書込みが可能な読取書込部と、前記識別情報および何回目の体重の測定であるかを示す回数情報に対応させて、測定される体重値が記憶される記憶部と、前記読取書込部による前記識別情報の読取りに基づいて、前記記憶部および前記表示部を制御する制御部とを具備し、前記制御部は、前記読取書込部で読取った識別情報によって、前記ＲＦＩＤタグが、前記被測定者の個人専用のＲＦＩＤタグであるか否かを識別し、個人専用のＲＦＩＤタグでないときには、読取った識別情報および何回目の体重の測定であるかを示す回数情報に対応させて、前記体重測定部で測定される体重値を前記記憶部に記憶させる一方、前記記憶部に記憶されている、前記読取書込部で読取った識別情報に対応する体重値を読出して、少なくとも前後２回の測定による両体重値および両体重値の差の少なくともいずれか一方を、前記表示部に表示させ、個人専用のＲＦＩＤタグであるときには、何回目の体重の測定であるかを示す回数情報に対応させて、前記体重測定部で測定される体重値を前記個人専用のＲＦＩＤタグに書込ませる一方、前記個人専用のＲＦＩＤタグに書込まれている体重値を読出して、少なくとも前後２回の測定による両体重値および両体重値の差の少なくともいずれか一方を、前記表示部に表示させるものである。
【手続補正３】
【補正対象書類名】明細書
【補正対象項目名】００１０
【補正方法】変更
【補正の内容】
【００１０】
ＲＦＩＤタグとは、物体の識別に利用される無線ＩＣチップをいい、その形状は、カード状、スティック状、ラベル状など特に限定はなく、ＩＣタグ、ＲＦタグ、無線タグ、電子タグなどの様々な名称で呼ばれるものである。
【手続補正４】
【補正対象書類名】明細書
【補正対象項目名】００２０
【補正方法】変更
【補正の内容】
【００２０】
（４）上記（２）または（３）の実施態様では、既に測定されて前記記憶部に記憶されている体重値を消去するために操作される操作部を具備し、前記制御部は、前記操作部の操作に基づいて、前記記憶部に記憶されている体重値の内、前記読取書込部で読取ったロッカー番号に対応する体重値を消去するようにしてもよい。
【手続補正５】
【補正対象書類名】明細書
【補正対象項目名】００２６
【補正方法】変更
【補正の内容】
【００２６】
（６）本発明の体重計の表示方法は、載台に載る被測定者の体重を測定する体重測定部と、測定した体重値を表示する表示部と、前記被測定者が携帯するＲＦＩＤタグの識別情報を非接触で読取ると共に、前記ＲＦＩＤタグへ非接触で情報の書込みが可能な読取書込部と、少なくとも前記体重測定部で測定される体重値が記憶される記憶部とを具備する体重計の表示方法であって、体重を測定する前記被測定者が携帯する前記ＲＦＩＤタグの識別情報を非接触で読取って前記ＲＦＩＤタグが、前記被測定者の個人専用のＲＦＩＤタグであるか否かを識別するステップと、前記ＲＦＩＤタグが、前記被測定者の個人専用のＲＦＩＤタグでないときには、前記非接触で読取った前記識別情報および何回目の体重の測定であるかを示す回数情報に対応させて、前記体重測定部で測定される体重値を前記記憶部に記憶するステップと、前記ＲＦＩＤタグが、前記被測定者の個人専用のＲＦＩＤタグであるときには、何回目の体重の測定であるかを示す回数情報に対応させて、前記体重測定部で測定される体重値を前記個人専用のＲＦＩＤタグに書込むステップと、前記ＲＦＩＤタグが、前記被測定者の個人専用のＲＦＩＤタグでないときには、前記非接触で読取った識別情報に対応する体重値を前記記憶部から読出して、少なくとも前後２回の測定による両体重値および両体重値の差の少なくともいずれか一方を、前記表示部に表示するステップと、前記ＲＦＩＤタグが、前記被測定者の個人専用のＲＦＩＤタグであるときには、前記個人専用のＲＦＩＤタグに書込まれている体重値を読出して、少なくとも前後２回の測定による両体重値および両体重値の差の少なくともいずれか一方を、前記表示部に表示するステップとを具備している。
【手続補正６】
【補正対象書類名】明細書
【補正対象項目名】００２９
【補正方法】変更
【補正の内容】
【００２９】
【図１】図１は本発明の参考実施形態にかかる体重計の斜視図である。
【図２】図２はＲＦＩＤタグからなるロッカーキーの斜視図である。
【図３】図３はロッカーの概略図である。
【図４】図４は体重計の構成を示すブロック図である。
【図５】図５は入浴の前後の体重の測定結果の表示例である。
【図６】図６は体重計のメモリの記憶構成を示す図である。
【図７】図７は体重計の動作説明に供するフローチャートである。
【図８】図８は他の参考実施形態にかかる体重計の動作説明に供するフローチャートである。
【図９】図９は図８の体重計のメモリの記憶構成を示す図である。
【図１０】図１０は体重の測定結果の表示例である。
【図１１】図１１は更に他の参考実施形態にかかる体重計を備えるシステムの構成である。
【手続補正７】
【補正対象書類名】明細書
【補正対象項目名】００３１
【補正方法】変更
【補正の内容】
【００３１】
（参考実施形態１）
図１は、本発明の参考実施形態に係る体重計の斜視図である。
【手続補正８】
【補正対象書類名】明細書
【補正対象項目名】００３２
【補正方法】変更
【補正の内容】
【００３２】
この参考実施形態の体重計１は、例えば、温泉や健康ランドのような温浴施設の脱衣場に設置されている。
【手続補正９】
【補正対象書類名】明細書
【補正対象項目名】００３５
【補正方法】変更
【補正の内容】
【００３５】
この参考実施形態では、貸与されるロッカーキー８は、例えば、図２に示すように、手首に装着できるようにカールコードからなるリストバンド９付のＲＦＩＤタグ１０から構成されている。このＲＦＩＤタグ１０は、アンテナ付ＩＣチップ（図示せず）がケースに封入されて構成され、ケースの表面には、該ロッカーキー８に割り当てられているロッカー番号（キー番号）、例えば、「００１」が印刷されている。このロッカーキー８には、精算情報を記録することができ、このロッカーキー８を使用して施設の自動販売機等を利用したような場合に、その料金を施設の退館時にフロントで精算することができる。
【手続補正１０】
【補正対象書類名】明細書
【補正対象項目名】００３９
【補正方法】変更
【補正の内容】
【００３９】
この参考実施形態では、温浴施設における入浴の前後の体重の変化を容易に把握できるように、次のように構成している。
【手続補正１１】
【補正対象書類名】明細書
【補正対象項目名】００４１
【補正方法】変更
【補正の内容】
【００４１】
図４は、この参考実施形態の体重計１の構成を示すブロック図であり、図１に対応する部分には、同一の参照符号を付す。
【手続補正１２】
【補正対象書類名】明細書
【補正対象項目名】００４４
【補正方法】変更
【補正の内容】
【００４４】
この参考実施形態では、次のようにして入浴の前後の体重の測定が行われる。
【手続補正１３】
【補正対象書類名】明細書
【補正対象項目名】００４９
【補正方法】変更
【補正の内容】
【００４９】
図６は、この参考実施形態の体重計１のメモリ１８の記憶構成を示す図である。この図６に示されるように、ロッカー番号毎に、１回目の測定である入浴前と、２回目の測定である入浴後とに対応させて、測定された体重値が記憶される。
【手続補正１４】
【補正対象書類名】明細書
【補正対象項目名】００５０
【補正方法】変更
【補正の内容】
【００５０】
図７は、この参考実施形態の体重計１の動作説明に供するフローチャートである。
【手続補正１５】
【補正対象書類名】明細書
【補正対象項目名】００５６
【補正方法】変更
【補正の内容】
【００５６】
（参考実施形態２）
上述の参考実施形態では、体重計１は、温浴施設の入浴の前後の体重値を記憶し、入浴の前後の体重変化を表示するようにしたけれども、本発明の他の参考実施形態として、例えば、フィットネスクラブ等のスポーツ施設で貸与される更衣ロッカーのロッカーキー８を利用して、該スポーツ施設の適所に設置される体重計に、各種のマシンを使用した運動の前後の体重変化を表示できるようにしてもよい。
【手続補正１６】
【補正対象書類名】明細書
【補正対象項目名】００５８
【補正方法】変更
【補正の内容】
【００５８】
この参考実施形態の体重計も、上述の参考実施形態の体重計１とその基本的な構成は、同様であるので、同じ参照符号を用いて説明する。
【手続補正１７】
【補正対象書類名】明細書
【補正対象項目名】００６７
【補正方法】変更
【補正の内容】
【００６７】
（参考実施形態３）
図１１は、本発明の他の参考実施形態の体重計を複数備えるシステムの概略構成図である。
【手続補正１８】
【補正対象書類名】明細書
【補正対象項目名】００６８
【補正方法】変更
【補正の内容】
【００６８】
この参考実施形態では、複数、例えば、４台の体重計１1〜１4は、例えば、フィットネスクラブなどのスポーツ施設の適所に設置されており、上述の参考実施形態１，２と同様に、各体重計１1〜１4は、体重計本体２と、体重計本体２に取り付けられた支柱３と、支柱３の上部に取り付けられた操作表示部４とを備えると共に、ＲＦＩＤタグからなるロッカーキーからの情報を読み取るＲＦＩＤリーダ５とを備えている。更に、この実施形態の体重計１1〜１4は、スポーツ施設に設置されているコンピュータ２４との間で無線通信するための無線通信部をそれぞれ内蔵している。また、４台の体重計１1〜１4を識別して通信できるように、各体重計１1〜１4には、個別の装置番号が設定されている。
【手続補正１９】
【補正対象書類名】明細書
【補正対象項目名】００６９
【補正方法】変更
【補正の内容】
【００６９】
この参考実施形態では、利用者が、４台の体重計１1〜１4のいずれの体重計で体重を測定しても、上述の参考実施形態２と同様に、マシンの運動の前後の体重の変化を知ることができるように次のようにしている。
【手続補正２０】
【補正対象書類名】明細書
【補正対象項目名】００７５
【補正方法】変更
【補正の内容】
【００７５】
この参考実施形態では、各体重計１1〜１4によって測定された体重値をコンピュータ２４に送信して記憶し、記憶した体重値を読み出して各体重計１1〜１4に送信するように構成したけれども、本発明の他の参考実施形態として、コンピュータ２４に代えて、１台の体重計を親機（マスタ）として設定し、子機（スレーブ）である他の各体重計によって測定される体重値を、親機の体重計に送信して記憶し、記憶した体重値を読み出して子機である他の体重計に送信するようにしてもよい。なお、必要に応じて中継器を設置してもよい。
【手続補正２１】
【補正対象書類名】明細書
【補正対象項目名】００７６
【補正方法】変更
【補正の内容】
【００７６】
この参考実施形態では、無線で通信したけれども、無線に限らず、有線で通信するようにしてもよい。
【手続補正２２】
【補正対象書類名】明細書
【補正対象項目名】００７７
【補正方法】変更
【補正の内容】
【００７７】
（実施形態１）
上述の各参考実施形態では、測定した体重値を、体重計１あるいはコンピュータ２４の記憶部に記憶するようにしたけれども、本発明の実施形態として、利用者が、情報の読書きが可能な個人専用のＲＦＩＤカードを所有しているような場合には、測定した体重値を、個人専用のＲＦＩＤカードに記憶させるようにしてもよい。
【手続補正２３】
【補正対象書類名】明細書
【補正対象項目名】００７８
【補正方法】変更
【補正の内容】
【００７８】
この場合、体重計１のＲＦＩＤリーダ５を、ＲＦＩＤリーダライタに変更し、個人専用のＲＦＩＤカードであるか、あるいは、上述の参考実施形態と同様のロッカーキーであるかを識別情報によって識別し、個人専用のＲＦＩＤカードであるときには、測定した体重値を、体重計１のメモリ１８に書き込むのではなく、個人専用のＲＦＩＤカードに書き込むようにし、ロッカーキー８であるときには、上述の参考実施形態と同様に、体重計１のメモリ１８に書き込むようにすればよい。